(57)【特許請求の範囲】
【請求項１】
カメラ本体の背面から膨出するようにファインダ接眼部とモニタ画面とを設け、さらに該モニタ画面を覆う保護カバーを着脱可能に設けたデジタルスチルカメラにおいて、
前記モニタ画面は、前記ファインダ接眼部の直下においてカメラ背面カバーに一体成形された膨出部の頂面から露出するように設けられ、該膨出部の端面のうち前記ファインダ接眼部にて上方を覆われる箇所に露出し且つカメラ下方に窪んだ上溝が設けられ、前記膨出部の下側の端面に露出し且つカメラ上方に窪んだ下溝が設けられ、前記保護カバーの上下に設けた突起を前記上溝および下溝にそれぞれ係合させて前記保護カバーを装着するよう構成したことを特徴とするデジタルスチルカメラ。
【請求項２】
前記モニタ画面を覆うように前記背面カバーに固着される保護板を更に備え、前記保護カバーは、前記保護板ごしに前記モニタ画面を覆うように装着されることを特徴とする請求項１に記載のデジタルスチルカメラ。
【請求項３】
前記膨出部の一部には、前記溝と突起とを介して前記保護カバーが装着されたときに、該保護カバーの内面と当接する押さえ突起が設けられていることを特徴とする請求項１又は２に記載のデジタルカメラ。
【発明の詳細な説明】
【０００１】
【発明の属する技術分野】
本発明は、カメラ本体の背面にモニタ画面を有するデジタルスチルカメラ、特にモニタ画面を保護するための保護カバーを着脱可能に設けたものに関する。
【０００２】
【従来の技術】
画像確認用の液晶モニタをカメラ背面に持つデジタルスチルカメラにおいて、モニタ画面の傷付きを防止するためにその画面を透明のアクリル板で覆ったものがある。アクリル板はモニタ画面（液晶画面）よりも傷がつきにくい上に、傷がついた場合でもアクリル板のみを交換すればよいため、液晶画面を交換する場合と比べて修理費用が安くて済む。しかし、アクリル板はカメラ背面に固定的に取り付けられるため、その交換作業は必ずしも容易とは言えない。
【０００３】
そこで、例えば図４に示すように、アクリル板に加えて保護カバーを着脱可能に設けたものがある。図において、紙面横方向はカメラ横方向であり、５１はカメラ本体の背面カバー、５２は液晶モニタ、５３はモニタ５２の画面５２ａを覆うアクリル板である。アクリル板５３は背面カバー５１に固定的に嵌め込まれている。５４はそのアクリル板５３を更に覆うように設けられた透明の保護カバーであり、保護カバー５４の左右端部には、背面カバー５１の溝５５ａ，５６ａにそれぞれ係合される突起５４ａ，５４ｂが設けられている。保護カバー５４は弾性部材にて構成され、これを若干変形させることで両側の突起５４ａ，５４ｂを溝５５ａ，５６ａに係合させて装着する。取り外しの際は保護カバー５４を変形させることで突起５４ａ，５４ｂと溝５５ａ，５６ａとの係合を解除する。これによれば、保護カバー５４に傷がついた場合にユーザー自身の手で容易に交換が可能である。
【０００４】
【発明が解決しようとする課題】
しかしながら、図４から分かるように、保護カバー５４の突起５４ａ，５４ｂが係合される溝５５ａ，５６ａは、背面カバー５１に一体成形により形成されるものではなく、別部材５５，５６にそれぞれ形成され、その別部材５５，５６をビスにより背面カバー５１に取り付ける構造となっている。これは、背面カバー５１を型成形する際に、図示上下方向に型を抜くため溝５５ａ，５６ａの部分がアンダーカット部となってしまうからである。そこで、型のうち溝５５ａ，５６ａの部分のみカメラ左右方向にスライド式に抜けるよう型を分割することが考えられるが、型を分割すると型のパーティングラインが問題となる。つまり溝５５ａ，５６ａからスライド型の抜き方向にかけてパーティングラインが形成されてしまい、これが位置的に目立つため、カメラの見栄えが悪化する。したがって、従来カメラでは図示の如く溝５５ａ，５６ａを別部材５５，５６に形成するしかなく、保護カバー５４を設けたがために製造工数の増加を招いていた。
【０００５】
本発明の目的は、保護カバー取付用の溝を背面カバーに一体成形しても見栄えが損なわれないよう工夫したデジタルスチルカメラを提供することにある。
【０００６】
【課題を解決するための手段】
本発明は、カメラ本体の背面から膨出するようにファインダ接眼部とモニタ画面とを設け、さらに該モニタ画面を覆う保護カバーを着脱可能に設けたデジタルスチルカメラに適用される。
モニタ画面は、ファインダ接眼部の直下においてカメラ背面カバーに一体成形された膨出部の頂面から露出するように設けられ、膨出部の端面のうちファインダ接眼部にて上方を覆われる箇所に露出し且つカメラ下方に窪んだ上溝が設けられ、膨出部の下側の端面に露出し且つカメラ上方に窪んだ下溝が設けられ、保護カバーの上下に設けた突起を上溝および下溝にそれぞれ係合させて保護カバーを装着するよう構成し、これにより上記問題点を解決する。
請求項２の発明は、モニタ画面を覆うように背面カバーに固着される保護板を更に備え、保護カバーが保護板ごしにモニタ画面を覆うように装着されるものである。
請求項３の発明は、溝と突起とを介して保護カバーが装着されたときに、保護カバーの内面と当接する押さえ突起を膨出部の一部に設けたものである。
【０００７】
【発明の実施の形態】
図１〜図３により本発明を一眼レフタイプのデジタルスチルカメラに適用した場合の一実施形態を説明する。
図１，図２は本実施形態におけるデジタルスチルカメラの背面図、図３は図２のIII−III線断面図である。カメラ本体は上カバー１，背面カバー２，底カバー３および不図示の前面カバーで覆われる。上カバー１には操作部材ＯＭ１，ＯＭ２やレリーズボタン（不図示）等が設けられるとともに、光学ファインダの接眼部１１が設けられている。接眼部１１は、図３に示すようにカメラ本体背面から後方に膨出するように設けられる。
【０００８】
一方、カメラ本体内には、背面側に液晶モニタ１２が設けられている。モニタ１２は、撮影済みの画像の確認に用いたり、機能設定やカスタム設定の際の表示部材として用いられる。また、モニタ１２をファインダ代わりとして使用可能な機種もある。
【０００９】
モニタ１２の画面（液晶画面）１２ａは、背面カバー２に形成された窓２ａから露出している。背面カバー２は、上記ファインダ接眼部１１の真下にあたる箇所が後方に膨出し、その膨出部２Ａの頂面に上記窓２ａが設けられる。モニタ画面１２ａの中心軸は、カメラ上下方向から見た場合にファインダ接眼部１１の光軸とほぼ一致する。そして、窓２ａを覆うように透明のアクリル板（保護板）１３が配置され、このアクリル板１３は膨出部２Ａに設けた嵌合部２ｂに嵌め込まれて固定される。膨出部２Ａの左右には操作部材ＯＭ１１〜ＯＭ１３等が配置されている。
【００１０】
アクリル板１３はモニタ画面１２ａの保護を図るものであるが、本実施形態では、更にそのアクリル板１３を覆うように保護カバー１４が着脱可能に取り付けられる。図１は保護カバー１４が取り外された状態を示し、図２，図３は取り付けられた状態を示す。保護カバー１４は、アクリル等の弾性のある部材で構成され、アクリル板１３ごしに窓２ａ（つまりモニタ画面１２ａ）を覆う被覆部１４Ａと、被覆部１４Ａの上下に設けられる取付部１４Ｂ，１４Ｃとが一体成形されて成る。保護カバー１４を透明の部材で構成することにより、保護カバー１４を取り付けた状態でモニタ画面１２ａの表示を確認可能である。例えば保護カバー１４のうち画面１２ａと対向する部分のみを透明とし、その他の箇所にはシボを形成することで半透明としてもよい。またカメラ保管時にのみ保護カバー１４を装着するような使い方を前提とすれば、必ずしも透明の部材でなくてもよい。
【００１１】
次に、保護カバー１４の取付構造を説明する。
保護カバー１４の上取付部１４Ｂは、図３の如く内側に折り曲げられ、その先端に突起（以下、上突起）１４ｂが形成されている。図３では上突起１４ｂが１個のみ図示されているが、実際には紙面と直交する方向に２つ設けられる。一方、下取付部１４Ｃはほぼ垂直方向に延在し、その先端に１本の突起（以下、下突起）１４ｃが形成されている。
【００１２】
一方、背面カバー２の膨出部２Ａの端面には、上記一対の上突起１４ｂが係合される一対の上溝２ｂと、下突起１４ｃが係合される下溝２ｃとが形成されている。上溝２ｂはカメラ下方に窪んだ溝であり、下溝２ｃはカメラ上方に窪んだ溝である。上溝２ｂが形成される箇所は、図３に示すようにファインダ接眼部１１にて上方を覆われる位置である。また下溝２ｃは膨出部２Ａの下端面に形成されている。
【００１３】
保護カバー１４の取り付けの際には、例えば上突起１４ｂを上溝２ｂに係合させておき、保護カバー１４の下側を弾性変形させることで下突起１４ｃを下溝２ｃに係合させればよい。これにより多少の振動では保護カバー１４が外れることはない。また背面カバー２の膨出部２Ａには、複数箇所に押さえ突起２ｄが形成され、保護カバー１４の内面がこれらの突起２ｄに当接するように取り付けられることで、取り付け時の保護カバー１４のガタを防止している。
取り外しの際には、保護カバー１４を弾性変形させて突起１４ｂ，１４ｃと溝２ｂ，２ｃとの係合を解除することで容易に取り外せる。
【００１４】
ところで、背面カバー２は、溝２ｂ，２ｃや押さえ突起２ｄを備えた膨出部２Ａを含めて一体成形により形成される。その際、図３のＸ方向に型を抜くことになるが、溝２ｂ，２ｃの部分がアンダーカット部となるため、型を分割式とし、３本の溝に相当する型部分は図Ｙ方向にスライド式に型抜きを行う。この場合、溝２ｂ，２ｃからスライド型の抜き方向にかけて型のパーティングラインが形成されることになるが、本実施形態では上溝２ｂがファインダ接眼部１１に覆われる位置にあるため、上溝２ｂに対するパーティングラインは目立たたない。また下溝２ｃは膨出部２Ａの下端面、つまりカメラ底面近傍でしかも斜め下を向いている面に形成されているので、下溝２ｃに対するパーティングラインもまた目立たない。このように型のパーティングラインが形成されてもそれによってカメラの見栄えを損ねることがないため、溝２ｂ，２ｃの形成部分を含めて背面カバー２を一体成形でき、別部材に溝を形成してその別部材を取り付けるといった手間のかかる作業を行わずに済む。
【００１５】
また本実施形態では、ファインダ接眼部１１の真下にモニタ画面１２ａを配したので、上述したようにパーティングラインの隠蔽に役立つとともに、ファインダを覗いたときに鼻がアクリル板１３や保護カバー１４に当たることがなく、それらの汚れが抑制される。さらに膨出部１２Ａの左右に操作部材ＯＭ１１〜ＯＭ１３を分けて配置することでスペース効率が向上し、カメラ本体の小型化が図れるが、本実施形態のように保護カバー１４の取付部を左右部分ではなく上下部分に配することで、操作部材の配置の自由度が更に高まる。
【００１６】
なお以上では、モニタ画面１２ａを覆うようにアクリル板１３を固定的に設けたが、保護カバー１４を通してモニタ画面１２ａを確認可能であればアクリル板１３は必ずしも必要ではない。また保護カバー１４の形状も実施形態に限定されない。さらに一眼レフタイプのデジタルスチルカメラにて説明したが、それ以外のタイプのデジタルスチルカメラにも本発明を適用できる。
【００１７】
【発明の効果】
本発明によれば、保護カバーの上突起が係合される上溝がファインダ接眼部にて覆われる箇所に設けられており、また保護カバーの下突起が係合される下溝が膨出部の下側の端面に設けられているので、上下の溝に連なるパーティングラインはいずれも目立たず、上下溝の形成部分を分割型により一体成形してもカメラの見栄えを損なうことがない。したがって、溝の部分を別部材で構成していた従来カメラと比べて製造工数およびコストの低減が図れる。
【図面の簡単な説明】
【図１】本発明の一実施形態におけるデジタルカメラの背面図であり、保護カバー非装着状態を示す。
【図２】図１と同様の図であり、保護カバー装着状態を示す。
【図３】図２のIII−III線断面図。
【図４】従来のデジタルスチルカメラの保護カバー取付構造を示す断面図。
【符号の説明】
１  上カバー
２  背面カバー
２Ａ  膨出部
２ｂ  上溝
２ｃ  下溝
３  底カバー
１１  ファインダ接眼部
１２  液晶モニタ
１２ａ  モニタ画面
１３  アクリル板
１４  保護カバー
１４ｂ  上突起
１４ｃ  下突起
ＯＭ１，ＯＭ２，ＯＭ１１〜ＯＭ１３  操作部材
【図１】
0004039072.tif 000002
【図２】
0004039072.tif 000003
【図３】
0004039072.tif 000004
【図４】
0004039072.tif 000005